(57)【要約】      （修正有）【課題】継ぎ手部分の外径が杭径より小さく、埋設した杭と地盤との間に空隙部が生じることがない杭の継手構造を提供する。【解決手段】杭の端部に形成した杭径より小径の接続部２，６の端面に、周縁より突出する複数の係合用凸部４，８を有する端板３，７を装着してなる上下杭１，５と、前記端板を対接して配設した上下杭の接続部の外側に、複数個に分割可能としたリング１２を嵌合し、該リングの内側に周方向に所定間隔で上下方向に延びる複数本の内方凸条部に、前記対接して配設した上下両端板の前記係合用凸部４，８が嵌合する周凹溝を形成してなる構成。【選択図】図５
2008231732.tif 000002
【特許請求の範囲】
【請求項１】
杭の端部に杭径より小径の接続部を形成するとゝもに、該接続部の端面に周縁より突出する複数の係合用凸部を有する端板を装着してなる接続される上下杭と、前記端板を対接して配設した上下杭の接続部の外側に嵌合して、相対的に上下及び水平方向の移動を規制するリングとから構成され、該リングを、前記接続部の周方向に複数個に分割可能とし、内側には周方向に所定間隔で上下方向に延びる複数本の内方凸条部を突設するとゝもに、該内方凸条部に前記対接して配設した上下両端板の係合用凸部が嵌合する周凹溝を形成した構成としたことを特徴とする杭の継ぎ手構造。
【請求項２】
前記接続される上下杭の両端板の接合面にせん断キー挿入用の環状凹溝をそれぞれ形成し、該上下の環状凹溝内に挿入した環状のせん断キーを介して前記上下杭を接続する構成としたことを特徴とする請求項１記載の杭の継ぎ手構造。
【請求項３】
前記リングの内周面と前記上下杭の接続部の外周面との間にあって隣り合う前記内方凸条部間の空隙部に、前記リングの上方から嵌め込んだくさびを介在させる構成としたことを特徴とする請求項１又は２記載の杭の継ぎ手構造。
【請求項４】
前記接続部の周方向に複数個に分割可能とした前記リングは、その両端の連結部を、いんろう構造からなる一対の嵌め込み部分と、該嵌め込み部分の接合面にそれぞれ形成した対峙する凹溝によって形成される溝孔内にその上端開口部から棒状のせん断キーを挿入して一体に連結する構成としたことを特徴とする請求項１，２又は３記載の杭の継ぎ手構造。
【請求項５】
前記上杭の接続部の長さを下杭の接続部の長さより長く形成したことを特徴とする請求項１，２，３又は４記載の杭の継ぎ手構造。
【発明の詳細な説明】
【技術分野】
【０００１】
本発明は、地中に貫入する支持杭の継ぎ手構造に関する。
【背景技術】
【０００２】
従来、上杭と下杭の接続構造としては、（１）上杭と下杭の端板同士を溶接により接続
する方法。（２）上杭の端部と下杭の端部とを一対の内嵌部と外嵌部に振り分け、内嵌部
と外嵌部を螺合接続する方法若しくは嵌合接続する方法。（３）上杭と下杭の端部にフラ
ンジ板をそれぞれ取り付け、該フランジ板同士をボルトにより接続する方法等が汎用され
ていた。
【０００３】
【特許文献１】特開平１１−２１８２７０
【特許文献２】特開２００１−６４９５９
【特許文献３】特開２０００−４６２７３
【特許文献４】特開平１１−２１８８２
【特許文献５】特開２００１−１１８５１
【特許文献６】特開２００２−１６１５３２
【発明の開示】
【発明が解決しようとする課題】
【０００４】
しかし、上記（１）乃至（３）に記載したような従来の杭の接続構造には、それぞれ次
のような諸問題点を有している。まず、上記（１）の溶接による杭の接続方法は、溶接に
多くの時間を要したり、施工現場の天候によっては溶接作業を行う事が出来ない場合もあ
り、能率が悪かった。また、このような溶接作業は、溶接の欠陥や溶接部の脆化を防止す
るために所要の設備と熟練した技術者を必要としコストがかかった。また、溶接強度は作
業者の技能に左右されるところが大きく、接合強度の安定性，信頼性に欠けるという問題
点もある。
【０００５】
一方、上記（２）の上杭の端部と下杭の端部に設けた内嵌部と外嵌部を螺合によって接
続する杭の接続方法は、締め込みが進むにつれて大きなトルクが必要になり、接続に大き
な労力を必要とするという問題がある。また杭の接続部分であるねじ部のさび付きや砂か
み等により接続が困難になる場合も生じる。そして又、嵌合による接続方法では、継ぎ手
部分の外径が設置穴の外径よりも大きいため、この継ぎ手部分が杭を地盤中に埋設する際
に大きな貫入抵抗となり、更には杭と地盤との間に空隙部が生じてしまうため適切な水平
支持力を確保できないという問題があった。
【０００６】
また、上記（３）の上杭と下杭の端部に設けたフランジ同士をボルト締めにより接続す
る杭の接続方法は、継ぎ手部分の外径が杭の外径よりも大きく、杭の外周面から大きく突
出することから、杭を打ち込む際に大きな貫入抵抗が生じ、また継ぎ手部分に曲げモーメ
ントが作用するという問題が生じる。更に、嵌合による杭の接続方法と同様に、杭と地盤
の間に空隙部が生じてしまうため適切な水平支持力が確保できない等の問題があった。
【０００７】
本発明は、上記のような従来の課題を解決するためになされたもので、構造が簡単で施
工が容易であり、コストを低減できる上に信頼性が高く且つ杭と地盤との間に空隙部が生
じることがなく適切な水平支持力を確保できる杭の継ぎ手構造を提供することを目的とし
たものである。
【課題を解決するための手段】
【０００８】
上記の目的を達成するために、本発明に係る杭の継ぎ手構造は、杭の端部に杭径より小
径の接続部を形成するとゝもに、該接続部の端面に周縁より突出する複数の係合用凸部を
有する端板を装着してなる接続される上下杭と、前記端板を対接して配設した上下杭の接
続部の外側に嵌合して、相対的に上下及び水平方向の移動を規制するリングとから構成さ
れ、該リングを、前記接続部の周方向に複数個に分割可能とし、内側には周方向に所定間
隔で上下方向に延びる複数本の内方凸条部を突設するとゝもに、該内方凸条部に、前記対
接して配設した上下両端板の係合用凸部が嵌合する周凹溝を形成した構成としたことを特
徴とする。
【０００９】
上記構成によれば、接続される上下の杭は杭径より小径の接続部においてその外周に嵌
めたリングによって連結されることになり、この継ぎ手部分の外径を杭本体の外径より小
さく形成することが出来る。そのため、杭を地盤中に埋設する際の貫入抵抗が小さくてす
み、更には杭と地盤との間に空隙部が生じず、適切な水平支持力を確保できる。
【００１０】
また、本発明に係る杭の接続構造は、前記接続される上下杭の両端板の接合面にせん断
キー挿入用の環状凹溝をそれぞれ形成し、該上下の環状凹溝内に挿入した環状のせん断キ
ーを介して前記上下杭を接続する構成としたことを特徴とする。この構成によれば、下杭
の中心軸と上杭の中心軸とを容易に合致させることができると同時に、上杭の下杭に対す
る水平方向へのずれを規制することができる。
【００１１】
そして又、本発明に係る杭の接続構造は、前記リングの内周面と前記上下杭の接続部の
外周面との間にあって隣り合う前記内方凸条部間の空隙部に、前記リングの上方から嵌め
込んだくさびを介在させる構成としたことを特徴とする。この構成によれば、上下杭の相
対的に円周方向のずれを防止することができる。
【００１２】
また、本発明に係る杭の接続構造は、前記接続部の周方向に複数個に分割可能とした前
記リングは、その両端の連結部を、いんろう構造からなる一対の嵌め込み部分と、該嵌め
込み部分の接合面にそれぞれ形成した対峙する凹溝によって形成される溝孔内にその上端
開口部から棒状のせん断キーを挿入して一体に連結する構成とした。
【００１３】
この構成によれば、一対の嵌め込み部分を互いに嵌め込むことで複数個のリング片をリ
ング状に組立、この嵌め込み部分に形成された溝孔内にその上端開口部から棒状のせん断
キーを挿入するといった簡単な作業で一体構造のリングを形成でき、且つ上下杭の接続部
に設置する前記リングの施工作業も容易に行える。
【００１４】
そして更に、本発明に係る杭の接続構造は、前記上杭の接続部の長さを下杭の接続部の
長さより長く形成することを特徴とする。このような構成とすることで、上杭の接続部の
外周上方部に大きな凹部空間を形成することができ、前記リングを一体構造とする際の棒
状のせん断キーの打ち込み作業および一体構造となった前記リングの内周面と前記上下杭
の接続部の外周面との間に設置するクサビの打ち込み作業等が容易となる。
【発明の効果】
【００１５】
本発明に係る杭の継手構造は、上記のような構成であるから、継手部分の外径は杭本体
の外径と同じか或いはこれよりも小さい径とする事が出来る。したがって、杭を地盤中に
埋設する際に、継手部分によって貫入抵抗が大きくなることはないし、更には杭と地盤と
の間に空隙部が生じることがなく。したがって、適切な水平支持力を確保することができ
るとゝもに、接続構造が簡単で施工も容易であり、コストの低減を図ることができるとい
った諸効果を奏する。
【発明を実施するための最良の形態】
【００１６】
以下、本発明に係る杭の接続構造を図面に示す実施形態に基づいて詳細に説明する。図
において、１は下端部に接続部２を有する上杭で、この接続部２の杭径の大きさは杭本体
である上杭１の杭径の大きさより小さく形成されている。３は前記接続部２の端面に装着
した端板で、周縁には所定間隔をおいて複数の係合用凸部４が設けられており、該係合用
凸部４は前記接続部２の外周面から放射状に突出した構成としている。
【００１７】
５は下杭で、前記上杭１とほゞ同一の構成からなっている。すなわち、６は前記上杭１
の接続部２と接続するための接続部で、７はその端面に装着した端板、８は該端板７の周
縁に設けた係合用凸部である。そして、これら各部分の大きさや形状は前記上杭１の各部
分とそれぞれ同一の形状，同一の大きさとしており、上杭１の接続部２の長さを下杭５の
接続部６の長さの約３倍長い構成としている点で相違するのみである。
【００１８】
９Ａ，９Ｂは前記端板３，７の接合面にそれぞれ形成した環状の凹溝で、この環状凹溝
９Ａ，９Ｂ内に環状のせん断キー１０を嵌合によって設置することで、前記下杭５に対し
上杭１が水平方向にずれることなく同一中心軸線上に接続される構成としている。なお、
図中１１Ａ，１１Ｂは上下杭１，５の接続部２，６の外周に巻いた接続金具である。
【００１９】
１２は接続される前記上下杭１，５をその接続部２，６の部分において接続するための
リングで、該リング１２は前記接続部２，６の周方向に２つに分割したリング構成部材１
２Ａ，１２Ｂでそれぞれ構成されており、両リング構成部材１２Ａ，１２Ｂをその両端に
形成した一対のいんろう構造からなる連結部１３，１５と、該連結部１３，１５を嵌め合
わせることで、径方向の接合面に形成した凹溝が対峙することで形成された溝孔１７内に
棒状のせん断キー１８を打ち込むことで、一体構造のリング１２を形成できる構成として
いる。
【００２０】
１３は前記リング構成部材１２Ａの両端にそれぞれ形成したいんろう構造の連結部で、
内面側に開口する凹部を中央備えた嵌合用突出部１４Ａ，１４Ｂを備えている。１５は前
記リング構成部材１２Ｂの両端にそれぞれ形成した連結部で、前記リング構成部材１２Ａ
の連結部１３と嵌め合わせによって連結するためのものであり、外面側に開口する凹部１
６Ｂを介して嵌合用突出部１６Ａが端縁に形成されており、該嵌合用突出部１６Ａを前記
リング構成部材１２Ａの嵌合用突出部１４Ａ，１４Ｂの間に、嵌合用突出部１４Ｂを前記
リング構成部材１２Ｂの凹部１６Ｂにそれぞれ嵌め合わせることでリング１２を組み立て
る構成としている。
【００２１】
１９は前記リング構成部材１２Ａ，１２Ｂの内側に形成した上下方向に平行して延びる
複数本の内方凸条部で、周方向に所定間隔をおいて形成されており、該内方凸条部１９に
は、前記上下両杭１，５の対峙する上下両端板３，７に形成した係合用凸部４，８を重ね
合わせた状態で嵌合できる上下幅を有する周溝２０が形成されている。なお、図中２１は
前記リング１２の内周面と前記上下杭の接続部２，６の外周面との間にあって、前記内方
凸条部１９，１９間の空隙部に前記リング１２の上方から嵌め込むくさびである。
【００２２】
次に、上記構成からなる杭の継ぎ手構造を施工するには、地中に打ち込んだ下杭５の上
方に上杭１を配置し、下杭５の接続部６端面に装着した端板７と接続される上杭１の接続
部２端面に装着した端板３とを対面させる。そして、下杭５の端板７に形成した係合用凸
部８の上に、上杭１の端板３に形成した係合用凸部４をそれぞれが合致するように上杭１
の位置を調整する。その後、両端板３，７の間に環状のせん断キー１０を配設し、該環状
のせん断キー１０が各端板３，７の接合面にそれぞれ形成した環状の凹溝９Ａ，９Ｂ内に
それぞれ嵌合するようにセットする。
【００２３】
この状態で、下杭５の上に上杭１を降ろすことで、下杭５と上杭１とはそれぞれの端板
３，７の環状凹溝９Ａ，９Ｂ内に嵌合したせん断キー１０を介し、上下杭１，５はその中
心軸が合致した状態で、下杭５の上に上杭１が接合される。つぎに、前記リング構成部材
１２Ａ，１２Ｂを前記上下杭１，５の接合部２，６に外側から配設し、下杭５の端板７に
形成した係合用凸部８と上杭１の端板３に形成した係合用凸部４とが上下に重ね合わされ
た部分４，８を、前記リング構成部材１２Ａ，１２Ｂの内側に形成した内方凸条部１９の
周溝２０内にそれぞれ嵌合させ、上下両杭１，５の接合部２，６を外周から覆う状態でセ
ットする。
【００２４】
上記のようにセットされた前記リング構成部材１２Ａ，１２Ｂを、前記リング構成部材
１２Ａ，１２Ｂの両端にそれぞれ形成したいんろう構造の連結部１３，１５を嵌め合わせ
によって組み立てるとゝもに、該連結部１３，１５に形成された溝孔１７内に棒状のせん
断キー１８を上方から打ち込むことで一体構造のリング１２を形成する。これにより、上
下両杭１，５は相対的に上下方向及び水平方向へのずれが規制される。
【００２５】
そして、最後に、前記リング構成部材１２Ａ，１２Ｂの内周面と前記上下杭１，５の接
続部２，６の外周面との間にあって、前記内方凸条部１９，１９間の空隙部に、その上方
からくさび２１を打ち込むことで施工作業が完了する。これにより、上下両杭１，５は相
対的に周方向へのずれが規制される。
【図面の簡単な説明】
【００２６】
【図１】本願発明に係る杭の継ぎ手構造の分解斜視図である。
【図２】同上発明の第１施工状態を示す半部縦断面である。
【図３】同上発明の第２施工状態を示す半部縦断面である。
【図４】本発明で使用するリングの組立状態を示す斜視図である。
【図５】同上発明の第３施工状態を示す半部縦断面である。
【図６】図５のＶＩーＶＩ線断面矢指図である。
【符号の説明】
【００２７】
１  上杭
５  下杭
２，６  接続部
３，７  端板
４，８  係合用凸部
９Ａ，９Ｂ  環状凹溝
１０  せん断キー
１２  リング
１２Ａ，１２Ｂ  リング構成部材
１３，１５  連結部
１４Ａ，１４Ｂ  嵌合用突出部
１６Ａ  嵌合用突出部
１６Ｂ  凹部
１７  溝孔
１８  棒状のせん断キー
１９  内方凸条部
２０  周凹溝
２１  くさび
【図１】
2008231732.tif 000003
【図２】
2008231732.tif 000004
【図３】
2008231732.tif 000005
【図４】
2008231732.tif 000006
【図５】
2008231732.tif 000007
【図６】
2008231732.tif 000008